(57)【要約】      （修正有）【課題】杭頭部の位置を直接的に測定し、杭位置を簡便且つ正確に測定することができる杭位置測定治具を提供する。【解決手段】掘削孔５２に挿入した杭５１の上部開口５７に係合し該杭５１の位置を測定するための杭位置測定用治具１である。本体２の中央に設けた水平器８と、本体２を上部開口５７の中央に位置決めする拡大部６とを備えるから、拡大部６を上部開口５７に係入すると共に、水平器８により本体２の中央を垂直に位置合わせすることにより、本体２の中央が上部開口５７の中央に位置決めされ、治具１の基準位置である縦杆３を測定することにより、上部開口５７の中央位置を正確に測定することができる。【選択図】図１
2009281010.tif 000002
【特許請求の範囲】
【請求項１】
掘削孔に挿入した杭の上部開口に係合し該杭の位置を測定するための杭位置測定用治具であって、本体の中央に設けた水平器と、前記本体を前記上部開口の中央に位置決めする位置決め部とを備えることを特徴とする杭位置測定用治具。
【請求項２】
前記位置決め部は、前記上部開口に係入し上方に向って拡大する拡大部を備えることを特徴とする請求項１記載の杭位置測定用治具。
【請求項３】
前記拡大部は、周囲に設けられた複数の杆からなることを特徴とする請求項２記載の杭位置測定用治具。
【請求項４】
前記本体の中央に縦杆を設け、この縦杆の上部に前記水平器を設けたことを特徴とする請求項１〜３のいずれか１項に記載の杭位置測定用治具。
【発明の詳細な説明】
【技術分野】
【０００１】
本発明は、掘削孔に挿入した杭の位置を測定するために用いる杭位置測定用治具に関する。
【背景技術】
【０００２】
従来、この種の杭の施工方法として、プレボーリング工法が知られている。この工法は、地盤を予め掘削して掘削孔を設け、この掘削孔に根固め液や杭周固定液を充填し、或いは掘削土と攪拌混合してソイルセメント状とし、これら流動状硬化材料で満たされた掘削孔に、二次製品の杭を挿入する工法であり、前記杭の掘削孔への埋設は、杭頭部と杭施工機械の駆動ロッドとを回転キャップを介して連結し、この回転キャップを介して杭を回転させながら掘削孔に押し込むようにして実施される（例えば特許文献１及び特許文献２）。
【０００３】
上記のプレボーリング工法では、掘削孔と杭との直径差などにより、杭の位置ズレが生じ易く、また、杭施工時には地盤より杭頭部が下がり、目視できない状況で施工が終了するため、杭の位置ズレ確認が難しいという問題がある。
【０００４】
そして、前記杭の上部にはコンクリート基礎などが設けられ、該杭によりコンクリート基礎を支持するが、杭の位置がずれると、設計基準から外れ、流動状硬化材料が硬化する前であれば、杭を引き抜いて再挿入するなどして位置を直すことができるが、流動状硬化材料が硬化した後は、杭の位置を直すことができず、結果として、設計基準から外れた杭が発生してします。
【０００５】
このような問題に対して、前記駆動ロッドの位置により杭の位置ズレを確認する工法が提案されているが、杭と駆動ロッドとは一体化されておらず、誤差が発生し易い。
【特許文献１】特開２００１−３３６１４７号公報
【特許文献２】特開２００７−２９７７９１号公報
【発明の開示】
【発明が解決しようとする課題】
【０００６】
そこで、本発明は、杭頭部の位置を直接的に測定し、掘削孔内の杭位置を簡便且つ正確に測定することができる杭位置測定治具を提供することを目的とする。
【課題を解決するための手段】
【０００７】
請求項１の発明は、掘削孔に挿入した杭の上部開口に係合し該杭の位置を測定するための杭位置測定用治具であって、本体の中央に設けた水平器と、前記本体を前記上部開口の中央に位置決めする位置決め部とを備えるものである。
【０００８】
また、請求項２の発明は、前記位置決め部は、前記上部開口に係入し上方に向って拡大する拡大部を備えるものである。
【０００９】
また、請求項３の発明は、前記拡大部は、周囲に設けられた複数の杆からなるものである。
【００１０】
また、請求項４の発明は、前記本体の中央に縦杆を設け、この縦杆の上部に前記水平器を設けたものである。
【発明の効果】
【００１１】
請求項１の構成によれば、位置決め部を上部開口に係合すると共に、水平器により本体の中央を垂直に位置合わせすることにより、本体の中央と上部開口の中央とが位置決めされ、その治具の基準位置を測定することにより、上部開口の中央位置を正確に測定できる。
【００１２】
また、請求項２の構成によれば、上部開口に上方から拡大部を挿入することにより、拡大部の中央が上部開口の中央に案内される。
【００１３】
また、請求項３の構成によれば、複数の杆が上部開口に接することにより、上部開口の中央に治具の中央が位置決めされる。
【００１４】
また、請求項４の構成によれば、地盤より下方の上部開口に位置決め部を係入し、この状態で、地上の水平器を視認して中央を垂直に位置合わせを行うことができる。
【発明を実施するための最良の形態】
【００１５】
本発明における好適な実施の形態について、添付図面を参照しながら詳細に説明する。尚、以下に説明する実施の形態は、特許請求の範囲に記載された本発明の内容を限定するものではない。また、以下に説明される構成の全てが、本発明の必須要件であるとは限らない。各実施例では、従来とは異なる新規な杭位置測定用治具を採用することにより、従来にない杭位置測定用治具が得られ、この杭位置測定用治具について記述する。
【実施例１】
【００１６】
以下、本発明の実施例１について、図１〜図５を参照して説明する。図１に示すように、杭５１はコンクリートパイルなどからなり、上記背景技術で説明したように、プレボーリング工法により地盤に掘削孔５２を掘削し、この掘削孔５２に流動性硬化材料を入れた状態で、杭５１を挿入する。この場合、図５に示すように、杭５１の杭頭部５３に回転キャップ５４を連結し、杭施工機械５５の駆動ロッド５６により前記回転キャップ５４と共に杭５１を回転しながら、掘削孔５２内に押し込み、前記杭頭部５３は地盤より下方となり、その杭頭部５３より前記回転キャップ５３を取り外す。
【００１７】
前記杭５１は中空であり、その上部中央に、円形の上部開口５７を有し、この上部開口５７の中心が杭５１の中心である。尚、杭頭部５３は鋼製からなり、上部開口５７は真円度が高い。
【００１８】
杭位置測定用治具（以下、治具という）１は、本体２の中央に中央部たる縦杆３を有し、この縦杆３の下部に裁頭円錐型に形成した一対の枠体４，４を設け、これら枠体４，４は縦杆３を中心に略９０度に位置にあり、前記枠体４，４の外側に位置する斜めの杆５，５，５，５により、位置決め部たる拡大部６を構成し、それら斜めの杆５，５，５，５は縦杆３に対して同一角度をなす。また、前記枠体４は、外側の前記杆５の上下を前記縦杆３に連結する上下連結杆７Ｕ，７Ｓを有する。尚、前記枠体４は鋼棒などを屈曲形成してなる。
【００１９】
前記縦杆４の上部には、水平器８が設けられ、この水平器８は目視により水平を確認できるものであって、内部に液体を充填すると共に、気泡１０を入れ、上部の視認窓９の中央に前記気泡を合わせることにより、水平器８が水平となり、この水平器８を設けた縦杆３を垂直に位置合わせすることができる。
【００２０】
１１は一端を前記縦杆３に当接して使用する検尺棒であり、他端には鉄筋からなる逃げ棒１２が設けられている。それら一対の検尺棒１１，１１を用い、杭５１を沈設する前に、予め杭５１の中心に対して、検尺棒１１，１１の一端を合わせると共に、相互に直交する位置に配置し、他端の逃げ棒１２は基準位置に配置してある。そして、掘削及び沈設作業時には、検尺棒１１を取り外して作業を行い、測定時には、基準位置に配置してある逃げ棒１２に、検尺棒１１の先端を前記縦杆３に合わせて杭５１の位置ずれを測定する。
【００２１】
次に、前記治具１を用いた杭５１の位置測定方法について説明する。上述したように杭５１を掘削孔５２に沈設し、杭頭部５３が地盤より下方となった状態では、掘削孔５２は流動性硬化材料や該掘削孔５２の土砂などの混濁液（図示せず）で満たされ、地上からは杭頭部５３を直接視認することはできない。尚、この例では、図５に示すように、掘削孔５２の下部には、流動性硬化材料たる根固め液５８が充填され、その上部には流動性硬化材料であって杭周固定液たるソイルセメント５９で満たされ、掘削孔５３の地上側は水と土砂の混合液（混濁液）６０が入っている。そこで、掘削孔５２の中心に縦杆４を合わせるようにして、操作部である縦杆４を持って、治具１の下部を、掘削孔５２内の前記混濁液に挿入する。この場合、治具１の下部は枠体４と縦杆３からなるから、抵抗無く挿入することができる。更に治具１を挿入していくと、下部が上部開口５７より小さい枠体４が、該上部開口５７に挿入され、複数の斜めの杆５，５，５，５により案内され、全ての杆５，５，５，５が上部開口５７に当接し、治具１が上部開口５７の略中央に位置決めされる。この状態で、縦杆３の上部は地上にあり、水平器８を用いて、縦杆３を垂直に位置決めすることにより、縦杆３が杭５１の中央に位置決めされる。
【００２２】
このようにして杭５１の中央に位置決めした縦杆３により、杭５１の中心位置を確認する。この場合、上述したように、基準位置に配置した逃げ棒１２に、検尺棒１１の先端を前記縦杆３に合わせて杭５１の位置ずれを測定する。
【００２３】
このように本実施例では、掘削孔５２に挿入した杭５１の上部開口５７に係合し該杭５１の位置を測定するための杭位置測定用治具１において、本体２の中央に設けた水平器８と、本体２を上部開口５７の中央に位置決めする位置決め部たる拡大部６とを備えるから、拡大部６を上部開口５７に係入すると共に、水平器８により本体２の中央を垂直に位置合わせすることにより、本体２の中央が上部開口５７の中央に位置決めされ、治具１の基準位置である縦杆３を測定することにより、上部開口５７の中央位置を正確に測定することができる。
【００２４】
また、このように本実施例では、前記位置決め部は、上部開口５７に係入し上方に向って拡大する拡大部６を備えるから、上部開口５７に上方から拡大部６を挿入することにより、拡大部６の中央が上部開口５７の中央に案内される。
【００２５】
また、このように本実施例では、拡大部６は、周囲に設けられた複数の杆５，５，５，５からなるから、複数の杆５，５，５，５が上部開口５７に接することにより、上部開口５７の中央に治具１の本体２の中央が位置決めされる。
【００２６】
また、このように本実施例では、本体２の中央に縦杆３を設け、この縦杆３の上部に水平器８を設けたから、地盤より下方の上部開口５７に位置決め部たる拡大部６を係入し、この状態で、地上の水平器８を視認して中央部たる縦杆３を垂直に位置合わせを行うことができる。
【００２７】
また、本実施例上の効果として、拡大部６は、斜めの杆５，５，５，５の間が開口しているから、混濁液で満たされた掘削孔５２にスムーズに治具１の下部を挿入することができる。
【００２８】
なお、本発明は、前記実施例に限定されるものではなく、種々の変形実施が可能である。例えば、実施例では、４本の杆を備えた拡大部を例示したが、縦杆を杭の中央に位置決め可能な杆は、３本でもよい。また、水平器は気泡により水平を確認するものを示したが、各種タイプのものを用いることができる。また、実施例では、コンクリート製の杭を用いて説明したが、上部開口を有するものであれば、鋼管杭などでもよい。さらに、実施例では、杭の位置ずれを、縦杆と検尺棒を用いて測定したが、縦杆の位置を光学式の測定器を用いて測定するようにしてもよい。
【図面の簡単な説明】
【００２９】
【図１】本発明の実施例１を示す使用状態の断面図である。
【図２】同上、使用状態の平面図である。
【図３】同上、治具の正面図である。
【図４】同上、治具の平面図である。
【図５】同上、杭の沈設工程を示す断面図である。
【符号の説明】
【００３０】
１  杭位置測定用治具
２  本体
３  縦杆
５  杆（斜めの杆）
６  拡大部（位置決め部）
８  水平器
５１  杭
５２  掘削孔
５３  杭頭部
５７  上部開口
【図１】
2009281010.tif 000003
【図２】
2009281010.tif 000004
【図３】
2009281010.tif 000005
【図４】
2009281010.tif 000006
【図５】
2009281010.tif 000007